(57)【要約】【課題】本発明は、熱可塑性樹脂フィルムの幅方向へのスリットを有する熱可塑性樹脂フィルムであって、任意の大きさ、間隔及び角度のスリットを有する熱可塑性樹脂フィルムを容易に製造しうる製造方法を提供する。【解決手段】回転可能な支持部材の先端部に切断部材が設置されている切断装置を回転すると共に、熱可塑性樹脂フィルムを、前記切断装置の回転方向に対し直交方向であって、前記切断部材に当接するように搬送することを特徴とするスリットいり熱可塑性樹脂フィルムの製造方法であり、支持部材が円盤状体であって、該円盤状体の周辺部に１又は２以上の切断部材が設置されているのが好ましい。【選択図】  図１
2004154076.tif 000002
【特許請求の範囲】
【請求項１】
回転可能な支持部材の先端部に切断部材が設置されている切断装置を回転すると共に、熱可塑性樹脂フィルムを、前記切断装置の回転方向に対し直交方向であって、前記切断部材に当接するように搬送することを特徴とするスリットいり熱可塑性樹脂フィルムの製造方法。
【請求項２】
支持部材が円盤状体であって、該円盤状体の周辺部に１又は２以上の切断部材が設置されていることを特徴とする請求項１記載のスリットいり熱可塑性樹脂フィルムの製造方法。
【請求項３】
スリットいり熱可塑性樹脂フィルムが農業用マルチフィルムである請求項１又は２記載のスリットいり熱可塑性樹脂フィルムの製造方法。
【発明の詳細な説明】
【０００１】
【発明の属する技術分野】
本発明は、農業用マルチフィルムに好適に使用されるスリットいり熱可塑性樹脂フィルムの製造方法に関する。
【０００２】
【従来の技術】
農業用マルチフィルムはポリエチレン樹脂、ポリピロピレン樹脂等のポリオレフィン系樹脂、塩化ビニル樹脂等の合成樹脂フィルムからなり、種子を蒔いた土壌表面を被覆し、土壌の保温若しくは土壌温度の上昇を図り、且つ雑草の発育を抑制して作物の育成を促進する目的で広く使用されている。
【０００３】
上記農業用マルチフィルムは、発芽した芽の通る開口部が形成された長尺の帯状体であり、巻芯に巻回されており、種子を蒔いた畝を被覆し端部に土壌をかけることにより固定している。
【０００４】
上記開口部としては種々の形状が提案されており、例えば、丸い穴及び長さ方向に切断されたスリットや幅方向にジグザグのスリットが記載されている（例えば、特許文献１及び特許文献２参照）。
【０００５】
【特許文献１】
特開昭５７−２０３２４号公報
【特許文献２】
特開平９−１２１６９３号公報
【０００６】
開口部が円形の場合は、発芽した芽の位置が開口部と異なると成長できないが、スリットの場合は発芽した芽の位置がスリットの位置と異なってもスリットが変形して芽がスリットから出て成長するので、最近はスリットの設けられた農業用マルチフィルムが好適に使用されるようになっている。
【０００７】
そして、スリットは、例えば、円筒状のロールカッターとカッター受けロールの間にフィルムを通し、押圧することにより形成されていた（例えば、特許文献３及び特許文献４参照）。
【０００８】
【特許文献３】
特開昭５７−２０３２４号公報
【特許文献４】
特開平４−２８３０９９号公報
【０００９】
しかし、上記方法では一定の形状のスリットしか得られなかった。即ち、スリットの大きさ、間隔、角度等を変更するためには、それぞれに適合する円筒状のロールカッターとカッター受けロールが必要であり、且つ、取り替える必要があるので、装置コストが高くなり製造も困難であった。
【００１０】
【発明が解決しようとする課題】
本発明の目的は、上記欠点に鑑み、熱可塑性樹脂フィルムの幅方向へのスリットを有する熱可塑性樹脂フィルムであって、任意の大きさ、間隔及び角度のスリットを有する熱可塑性樹脂フィルムを容易に製造しうる製造方法を提供することにある。
【００１１】
又、異なる目的は、種子の発芽の位置がスリットの位置と異なっても好適に使用できる農業用マルチフィルムの製造方法を提供することにある。
【００１２】
【課題を解決するための手段】
本発明のスリットいり熱可塑性樹脂フィルムの製造方法は、回転可能な支持部材の先端部に切断部材が設置されている切断装置を回転すると共に、熱可塑性樹脂フィルムを、前記切断装置の回転方向に対し直交方向であって、前記切断部材に当接するように搬送することを特徴とするものである。
【００１３】
本発明で使用される熱可塑性樹脂は、一般に使用されている任意の熱可塑性樹脂が使用可能であるが、農業用マルチフィルムとして使用する場合は、ポリエチレン樹脂、ポリピロピレン樹脂等のポリオレフィン系樹脂、塩化ビニル樹脂等が好ましい。
【００１４】
【発明の実施の形態】
次に、本発明を図面を参照して説明する。図１は、本発明のスリットいり熱可塑性樹脂フィルムの製造方法の一例を示す模式図であり、図２は切断装置の一例を示す側面図である。
【００１５】
図中１は押出機であり、押出機１から筒状に押出された熱可塑性樹脂フィルム２は冷却され、一対のロール３により２層に押しつぶされる。押しつぶされた熱可塑性樹脂フィルム２は搬送ロール４、４１、４１により搬送される。
【００１６】
搬送ロール４と搬送ロール４１の間に切断装置５が設置されている。切断装置５は、円盤状体の支持部材５１の周辺部に３枚の切断部材５３、５３、５３がビス５４、５４・・・により等間隔に固定されている。尚、５２は軸であり、モーター（図示せず）に接続されている。
【００１７】
切断装置５の回転方向と熱可塑性樹脂フィルム２の搬送方向は直交するように配置され且つ熱可塑性樹脂フィルム２は切断装置５の切断部材５３に当接するように設置されている。従って、熱可塑性樹脂フィルム２には、熱可塑性樹脂フィルム２が切断装置５に接触して通り過ぎる際に、切断部材５３により、熱可塑性樹脂フィルム２の搬送方向と略直交するスリットが形成される。
【００１８】
スリットの形成された熱可塑性樹脂フィルム２は、次いでカッター６により両端が切断され、２枚のスリットいり熱可塑性樹脂フィルム２１、２１が巻取りロール７，７により巻き取られる。
【００１９】
図３は製造されたスリットいり熱可塑性樹脂フィルム２１の一例を示す平面図である。
【００２０】
熱可塑性樹脂フィルム２１には一定間隔にスリット２２，２２・・・が形成されているが、本発明においては、熱可塑性樹脂フィルムを切断装置の回転方向に対し直交方向に搬送しながらスリットを形成するのであるから、スリットの方向は熱可塑性樹脂フィルムの長さ方向に対し斜め方向になっている。
【００２１】
熱可塑性樹脂フィルム２の搬送速度と切断部材５３の線速度を同一にすると、スリットは熱可塑性樹脂フィルム２の長さ方向に対し４５度の角度になり、熱可塑性樹脂フィルム２の搬送速度に対する切断部材５３の相対速度を大きくすることにより、熱可塑性樹脂フィルム２の長さ方向に対するスリットの角度を大きくすることができる。
【００２２】
又、スリットの間隔は、支持部材５１に設置する切断部材の数を増減すること、及び支持部材５１の半径を拡大縮小することにより広くしたり狭くしたりすることができる。
【００２３】
上記切断装置５では円盤状体の支持部材５１の周辺部に３枚の切断部材５３、５３、５３が設置されているが、切断部材は１枚以上あればよい。又、支持部材は回転可能で切断部材を支持できるものであればよく、例えば、棒状体、三角形状体、星状体等であってもよい。
【００２４】
本発明のスリットいり熱可塑性樹脂フィルムの製造方法は上述の通りであるから、熱可塑性樹脂フィルムの長さ方向に対し任意の角度を有し且つ任意の間隔を有するスリットを設けることができる。
【００２５】
従って、種の蒔き方や苗の植え方にあわせたスリットを容易に形成することができるので農業用マルチフィルムとして好適に使用できる。
【００２６】
【発明の効果】
本発明のスリットいり熱可塑性樹脂フィルムの製造方法の構成は、上述の通りであるから、熱可塑性樹脂フィルムの長さ方向に対し一定角度を有するスリットが一定間隔に設けられた熱可塑性樹脂フィルムが容易に製造できる。又、必要に応じ、スリットの角度及び間隔の異なるスリットいり熱可塑性樹脂フィルムを容易に製造することができる。
【００２７】
得られたスリットいり熱可塑性樹脂フィルムは、スリットが熱可塑性樹脂フィルムの長さ方向に対し一定角度を有しているので、種を捲いた畝にその端部に土等を載せて固定しておくと、最初は畝をカバーし保温性が優れており、しばらくするとスリットが引っ張られてまくれた状態になり、植物の芽がフィルムに邪魔されることなく成長することができようになるので、農業用マルチフィルムとして好適に使用できる。
【００２８】
【図面の簡単な説明】
【図１】本発明のスリットいり熱可塑性樹脂フィルムの製造方法の一例を示す模式図である。
【図２】切断装置の一例を示す側面図である。
【図３】スリットいり熱可塑性樹脂フィルム２１の一例を示す平面図である。
【符号の説明】
１    押出機
２    熱可塑性樹脂フィルム
２１  スリットいり熱可塑性樹脂フィルム
２２  スリット
３    一対のロール
４、４１    搬送ロール
５    切断装置
５１  支持部材
５３  切断部材
６    カッター
７    巻取りロール
【図１】
2004154076.tif 000003
【図２】
2004154076.tif 000004
【図３】
2004154076.tif 000005